(57)【要約】【課題】簡単かつ安価な構成であるにも拘わらず、保温性に優れ、消費電力を低減する。【解決手段】外装体１内に収容される内容器２に液体を収容し、内容器２の底面に設けたヒータ１１で収容した液体を加熱する。内容器２は、液体が収容される、有底筒状の内胴６と、内胴６の外表面との間に隙間を有して配置される外胴７と、内胴の底面に取り付けられ、ヒータ１１を保持するヒータ押え部材８とを備える。そして、内胴、外胴７、及び、ヒータ押え部材８により、真空引きされる密封空間を形成する。【選択図】図１
2008005985.tif 000002
【特許請求の範囲】
【請求項１】
外装体内に収容される内容器に液体を収容し、前記内容器の底面に設けたヒータで収容した液体を加熱するようにした電気湯沸し器において、
前記内容器は、
液体が収容される、有底筒状の内胴と、
前記内胴の外表面との間に隙間を有して配置される外胴と、
前記内胴の底面に取り付けられ、前記ヒータを保持するヒータ押え部材と、
を備え、
前記内胴、前記外胴、及び、前記ヒータ押え部材により、真空引きされる密封空間を形成したことを特徴とする電気湯沸し器。
【請求項２】
前記ヒータは、前記内胴の底面に、中心部を除く環状に配置され、
前記ヒータ押え部材は、前記ヒータの外径側及び内径側で、前記内胴の底面に一体化したことを特徴とする請求項１に記載の電気湯沸し器。
【請求項３】
有底筒状の内胴の底面にヒータを配置し、
前記内胴の底面にヒータ押え部材を固定することによりヒータを保持し、
前記内胴に外胴を被せて、内胴の外表面との間に空間を形成し、
内胴、外胴、及び、ヒータ押え部材を一体化し、形成される内部空間を真空引きすることにより、密封空間を形成することを特徴とする電気湯沸し器の製造方法。
【発明の詳細な説明】
【技術分野】
【０００１】
本発明は、電気湯沸し器、特に、保温性に優れた内容器を備えた電気湯沸し器に関するものである。
【背景技術】
【０００２】
従来、電気湯沸し器として、液体が収容される内容器を真空二重構造に形成したものがある（例えば、特許文献１参照）。
【０００３】
【特許文献１】実開平５−８８４３２号公報
【発明の開示】
【発明が解決しようとする課題】
【０００４】
しかしながら、前記従来の電気湯沸し器では、真空二重構造の内容器を形成した後、その内部底面にヒータを備えた底板を装着するようにしている。つまり、内容器の内部で底板を固定し、しかも収容される液体の漏れを確実に防止できるように溶接しなければならない。この作業は繁雑で、歩留まりを向上させるのが困難であるため、コストアップを招来することは避けられない。
【０００５】
そこで、本発明は、簡単かつ安価な構成であるにも拘わらず、保温性に優れ、消費電力を低減することのできる電気湯沸し器を提供することを課題とする。
【課題を解決するための手段】
【０００６】
本発明は、前記課題を解決するための手段として、外装体内に収容される内容器に液体を収容し、前記内容器の底面に設けたヒータで収容した液体を加熱するようにした電気湯沸し器において、前記内容器は、液体が収容される、有底筒状の内胴と、前記内胴の外表面との間に隙間を有して配置される外胴と、前記内胴の底面に取り付けられ、前記ヒータを保持するヒータ押え部材とを備え、前記内胴、前記外胴、及び、前記ヒータ押え部材により、真空引きされる密封空間を形成したものである。
【０００７】
この構成により、内胴にヒータ押え部材によりヒータを取り付けた後、外胴を装着し、形成される内部空間を真空引きすることができる。このため、加工容易であり、生産性に優れ、コストを低減することが可能である。
【０００８】
前記ヒータは、前記内胴の底面に、中心部を除く環状に配置され、前記ヒータ押え部材は、前記ヒータの外径側及び内径側で、前記内胴の底面に一体化すると、ヒータの取り付け状態を安定させることが可能となる点で好ましい。
【０００９】
また、本発明は、前記課題を解決するための手段として、電気湯沸し器を、有底筒状の内胴の底面にヒータを配置し、前記内胴の底面にヒータ押え部材を固定することによりヒータを保持し、前記内胴に外胴を被せて、内胴の外表面との間に空間を形成し、内胴、外胴、及び、ヒータ押え部材を一体化し、形成される内部空間を真空引きすることにより、密封空間を形成して製造するようにしたものである。
【発明の効果】
【００１０】
本発明によれば、内胴にヒータ押え部材によりヒータを取り付けた後、外胴を装着し、形成される内部空間を真空引きするようにしたので、構造が簡単で、加工性に優れ、安価に生産することができる。
【発明を実施するための最良の形態】
【００１１】
以下、本発明の実施形態について添付図面を参照しつつ説明する。
【００１２】
図１及び図２は、本実施形態に係る電気湯沸し器を示す。この電気湯沸し器は、大略、外装体１の内側に内容器２を配設し、外装体１の上方開口部に肩部材３を介して内容器２の上方開口部を開閉する蓋体４を回動可能に設け、外装体１の下端部に底部材５を装着した構成である。以下の説明では、本発明の特徴部分である内容器２の構成を中心に進め、その他の構成については省略又は簡略化した内容とする。
【００１３】
内容器２は、図３に示すように、内胴６、外胴７、及び、ヒータ押え板８を備える。
【００１４】
内胴６は、図２、図３及び図５に示すように、有底筒状で、上端開口部に鍔部６ａが形成され、その下方側には内側に向かって膨出する膨出部６ｂが形成されている。内胴６の底面には上方に向かって突出する円形状の第１凹部９が形成され、その中心がさらに上方に向かって突出する第２凹部１０となっている。第１凹部９にはドーナツ状のヒータ１１が配置され、内容器２に収容される液体を加熱及び保温する。第２凹部１０には温度センサ１２が配置され、内容器２の温度を検出可能となっている。温度センサ１２での検出温度は図示しない制御装置に入力される。制御装置では、入力された検出温度に基づいて内容器２に収容した液体温度を演算し、ヒータ１１への通電制御や、液晶パネル２０への温度表示等を行う。また、内胴６の底面には、収容した液体を排出するための貫通孔が形成され、その貫通孔は下方に向かって延びる筒状部６ｃとなっている。筒状部６ｃには、図示しない揚水管が接続される。
【００１５】
外胴７は、図２及び図３に示すように、前記内胴６と同様に、有底筒状で、上端開口部に鍔部７ａが形成され、側面は断面波形状となっている。断面波形形状としているのは、薄肉としつつ強度を向上させるためである。底面中央部には開口部７ｂが形成され、ヒータ１１及び温度センサ１２から延びる各リード線１１ａ及び１２ａを引き出し可能となっている。
【００１６】
ヒータ押え板８は、図６に示すように、平面視矩形の皿状で、周縁に鍔部８ａが形成されている。鍔部８ａ以外の窪み部分が内胴６の底面の第１凹部９内に位置するように配置され、第１凹部９内に配置したヒータ１１を支持することができるようになっている。そして、鍔部８ａが内胴６の底板詳しくは第１凹部９の周縁部に溶接により一体化される。この部分の溶接は、例えば、シーム溶接により行い、後述する真空引きによって密封性が維持できるようになっている。またヒータ押え板８の中央部には筒状部８ｂが形成されている。この筒状部８ｂは、外胴７の開口部７ｂに嵌合して溶接一体化される。
【００１７】
続いて、前記構成の内容器２の加工方法について説明する。
【００１８】
内容器２の加工では、内胴６及び外胴７をそれぞれ形成し、両者を組み合わせた後、内部を真空引きする。
【００１９】
内胴６の加工では、まず、シート状のステンレス鋼板を溶接により円筒状に形成する。そして、プレスにより上端開口部を外径側に延在させて鍔部６ａを形成する。また、底板の中央部に第１凹部９及び第２凹部１０を形成する。続いて、円筒部の下端開口部に底板を配置して溶接により一体化する。最後に、鍔部６ａの近傍を内側に膨出させて膨出部６ｂを形成する。これにより、内胴６が完成する。
【００２０】
続いて、内胴６の底板下面の第１凹部９にヒータ１１を配置し、ヒータ押え板８を内胴６の底板に溶接により一体化する。このとき、ヒータ押え板８の外周縁全体をシーム溶接により隙間無く接合する。また、ヒータ押え板８の内周縁を溶接する。内周縁の溶接では、ヒータ１１からのリード線を引き出すための開口部を除く全ての縁部を接合してもよいし、スポット溶接等により部分的に接合するようにしてもよい。
【００２１】
一方、外胴７の加工では、まず、シート状のステンレス鋼板を円筒状に形成して溶接により接合し、断面波形となるようにプレス加工した後、円筒部の下端開口部に底板を配置して溶接により一体化する。これにより、外胴７が完成する。
【００２２】
次に、内胴６の外周面に銅箔を配置し、外胴７を被せる。内胴６の鍔部に外胴７の鍔部を当接させ、この当接部分を溶接により接合する。このとき、外胴７の底板に形成した開口部内にヒータ押え板８の筒状部８ｂが嵌合する。そこで、この嵌合部分も溶接する。鍔部及び係合部分は全周に亘って隙間なく溶接する。これにより、内胴６、外胴７及びヒータ押え板８の３部材によって、内胴６と外胴７の外周面の間の円筒領域と、ヒータ押え板８の底面と外胴７の底面の間の底部領域とに連続する内部空間が形成され、内容器２が得られる。
【００２３】
ここで、図示しないチップ管を介して形成された内部空間を真空引きする。真空引きでは、内容器２の全体を炉内に搬入し、炉内全体を加熱すると共に減圧する。こうして内部空間が減圧されれば、チップ管を封止し、内部空間を密封された減圧（真空）空間とする。これにより、内容器２が完成する。
【００２４】
このようにして完成した内容器２は、外装体１の上方開口部に装着した肩部材３を介して内側に挿入され、鍔部を支持される。内容器２の外周側には真空ジャケット２１が配設される。真空ジャケット２１は、内容器２と同様に、内外周の円筒体を上下端部で接合し、両者の間に真空引きした空間を形成したものである。真空ジャケット２１の上端部は、内容器２と同様に、肩部材３に位置決めされ、内容器２の上端部よりも上方に位置する。また、内容器２と真空ジャケット２１との間には上下端部で、円筒形のスポンジ状断熱材２２が配置される。スポンジ状断熱材２２は、両部材間の空気の対流を防止し、断熱性能を向上させる。
【００２５】
その後、外装体１の底面開口部に底部材５を装着する。底部材５には、各種電子部品が実装された基板等を装着する。外胴７の底板に形成した第２凹部１０に温度センサ１２を配置し、そこから延びるリード線１２ａと、前記ヒータ１１に接続したリード線１１ａとをそれぞれ基板に電気接続する。
【００２６】
次に、前記構成の内容器２を備えた電気湯沸し器の動作について説明する。
内容器２内に注水し、蓋体４で閉鎖する。図示しない電源からヒータ１１に電力を供給し、内容器２の内胴６を加熱し、収容した水を沸騰させる。内容器２は外周部のみならず、底面側も真空二重構造となっている。しかも外周側には真空ジャケット２１が配置されている。また、内容器２と真空ジャケット２１の上下端部にはスポンジ状断熱材２２が配置され、両者の間の空間での空気の対流が防止されている。したがって、非常に断熱性能が高く、ヒータ１１への供給電力を抑えることができる。
【００２７】
内容器２の底面側も真空二重構造となっているので、その下方に配置した基板にも熱が伝わりにくい。このため、基板に実装する電子部品等を耐熱性に優れたものとしなくてもよくなり、安価に製作することが可能となる。
【図面の簡単な説明】
【００２８】
【図１】本実施形態に係る電気湯沸し器の外観を示す斜視図である。
【図２】図１の断面図である。
【図３】図２の内容器のみの断面図である。
【図４】内容器の内胴にヒータ押え板を装着した状態を示す斜視図である。
【図５】内容器の内胴のみの斜視図である。
【図６】ヒータ押え板の斜視図である。
【符号の説明】
【００２９】
１…外装体
２…内容器
３…肩部材
４…蓋体
５…底部材
６…内胴
６ａ…鍔部
６ｂ…膨出部
６ｃ…筒状部
７…外胴
７ａ…鍔部
７ｂ…開口部
８…ヒータ押え板（ヒータ押え部材）
８ａ…鍔部
８ｂ…筒状部
９…第１凹部
１０…第２凹部
１１…ヒータ
１１ａ…リード線
１２…温度センサ
１２ａ…リード線
２０…液晶パネル
２１…真空ジャケット
２２…スポンジ状断熱材
【図１】
2008005985.tif 000003
【図２】
2008005985.tif 000004
【図３】
2008005985.tif 000005
【図４】
2008005985.tif 000006
【図５】
2008005985.tif 000007
【図６】
2008005985.tif 000008
【手続補正書】
【提出日】平成18年7月5日(2006.7.5)
【手続補正１】
【補正対象書類名】図面
【補正対象項目名】図４
【補正方法】変更
【補正の内容】
【図４】
2008005985.tif 000009